(57)【要約】【課題】バッテリを取り付け易いクリーナを提供する。【解決手段】クリーナ１は、モータ２９と、モータ２９により回転されるファン３４と、モータ２９を収容するハウジング２と、ハウジング２の前部に配置される吸込口１３と、ハウジング２に接続されるハンドルハウジング３と、モータ２９に通電するためのスイッチ２２と、ハウジング２に設けられ、バッテリ６を取付可能なバッテリ取付部５と、を有しており、ハンドルハウジング３は、吸込口１３の後方に配置されており、ハウジング２に対してバッテリ６を左方から移動させることによって、バッテリ６をバッテリ取付部５に取付可能である。【選択図】図３
2014176567.tif 000002
【特許請求の範囲】
【請求項１】
モータと、
前記モータにより回転されるファンと、
前記モータを収容するハウジングと、
前記ハウジングの前部に配置される吸込口と、
前記ハウジングに接続されるハンドルと、
前記モータに通電するためのスイッチと、
前記ハウジングに設けられ、バッテリを取付可能なバッテリ取付部と、
を有するクリーナであって、
前記ハンドルは、前記吸込口の後方に配置されており、
前記ハウジングに対して前記バッテリを側方から移動させることによって、前記バッテリを前記バッテリ取付部に取付可能である
ことを特徴とするクリーナ。
【請求項２】
モータと、
前記モータにより回転されるファンと、
前記モータを収容するハウジングと、
前記ハウジングの前部に配置される吸込口と、
前記ハウジングに接続されるハンドルと、
前記モータに通電するためのスイッチと、
前記ハウジングに設けられ、バッテリを取付可能なバッテリ取付部と、
を有するクリーナであって、
前記ハンドルは、前記吸込口の後方に配置されており、
前記バッテリ取付部は、前記ハンドルの前方に配置されている
ことを特徴とするクリーナ。
【請求項３】
モータと、
前記モータにより回転されるファンと、
前記モータを収容するハウジングと、
前記ハウジングの前部に配置される吸込口と、
前記ハウジングに接続されるハンドルと、
前記モータに通電するためのスイッチと、
前記ハウジングに設けられ、バッテリを取付可能なバッテリ取付部と、
を有するクリーナであって、
前記ハンドルは、前記吸込口の後方に配置されており、
前記ハウジングに対して前記バッテリを下方から移動させることによって、前記バッテリを前記バッテリ取付部に取付可能である
ことを特徴とするクリーナ。
【請求項４】
モータと、
前記モータにより回転されるファンと、
前記モータを収容するハウジングと、
前記ハウジングの前部に配置される吸込口と、
前記ハウジングに接続されるハンドルと、
前記モータに通電するためのスイッチと、
前記ハウジングに設けられ、バッテリを取付可能なバッテリ取付部と、
を有するクリーナであって、
前記ハンドルは、前記吸込口の後方に配置されており、
前記バッテリ取付部に前記バッテリが取り付けられた際に、前記バッテリが前記モータの中心軸よりも上方に配置されるように構成した
ことを特徴とするクリーナ。
【請求項５】
モータと、
前記モータにより回転されるファンと、
前記モータを収容するハウジングと、
前記ハウジングの前部に配置される吸込口と、
前記ハウジングに接続されるハンドルと、
前記モータに通電するためのスイッチと、
前記ハウジングに設けられ、バッテリを取付可能なバッテリ取付部と、
を有するクリーナであって、
前記ハンドルは、前記吸込口の後方に配置されており、
前記ハウジングに対して前記バッテリを後方へと移動させることによって、前記バッテリを前記バッテリ取付部に取付可能である
ことを特徴とするクリーナ。
【発明の詳細な説明】
【技術分野】
【０００１】
本発明は、バッテリを有するクリーナに関する。
【背景技術】
【０００２】
下記特許文献１に示されるように、電動モータにより回転するファンを主体とする吸引機構が収容される本体ハウジングの後部下側に、バッテリ取付部を有するハンディクリーナが知られている。
このようなクリーナでは、電動モータ駆動用のバッテリパックを、バッテリ取付部に対して前側へスライドさせることにより取り付けることができ、バッテリ取付部から後側へスライドさせることにより取り外すことができる。
【先行技術文献】
【特許文献】
【０００３】
【特許文献１】特開２０１０−１７８７７３号公報
【発明の概要】
【発明が解決しようとする課題】
【０００４】
ハンディクリーナでは、本体ハウジングを手等で支えつつバッテリパックを脱着することがあるが、前側へのスライドにより本体ハウジングの後部下側のバッテリ取付部に取り付ける際、本体ハウジングを支えながらバッテリパックをスライドさせる操作を行い難いことがある。
そこで、本発明は、バッテリを取り付け易いクリーナを提供することを主な目的とするものである。
【課題を解決するための手段】
【０００５】
上記目的を達成するために、請求項１に記載の発明は、モータと、前記モータにより回転されるファンと、前記モータを収容するハウジングと、前記ハウジングの前部に配置される吸込口と、前記ハウジングに接続されるハンドルと、前記モータに通電するためのスイッチと、前記ハウジングに設けられ、バッテリを取付可能なバッテリ取付部と、を有するクリーナであって、前記ハンドルは、前記吸込口の後方に配置されており、前記ハウジングに対して前記バッテリを側方から移動させることによって、前記バッテリを前記バッテリ取付部に取付可能であることを特徴とするものである。
請求項２に記載の発明は、モータと、前記モータにより回転されるファンと、前記モータを収容するハウジングと、前記ハウジングの前部に配置される吸込口と、前記ハウジングに接続されるハンドルと、前記モータに通電するためのスイッチと、前記ハウジングに設けられ、バッテリを取付可能なバッテリ取付部と、を有するクリーナであって、前記ハンドルは、前記吸込口の後方に配置されており、前記バッテリ取付部は、前記ハンドルの前方に配置されていることを特徴とするものである。
請求項３に記載の発明は、モータと、前記モータにより回転されるファンと、前記モータを収容するハウジングと、前記ハウジングの前部に配置される吸込口と、前記ハウジングに接続されるハンドルと、前記モータに通電するためのスイッチと、前記ハウジングに設けられ、バッテリを取付可能なバッテリ取付部と、を有するクリーナであって、前記ハンドルは、前記吸込口の後方に配置されており、前記ハウジングに対して前記バッテリを下方から移動させることによって、前記バッテリを前記バッテリ取付部に取付可能であることを特徴とするものである。
請求項４に記載の発明は、モータと、前記モータにより回転されるファンと、前記モータを収容するハウジングと、前記ハウジングの前部に配置される吸込口と、前記ハウジングに接続されるハンドルと、前記モータに通電するためのスイッチと、前記ハウジングに設けられ、バッテリを取付可能なバッテリ取付部と、を有するクリーナであって、前記ハンドルは、前記吸込口の後方に配置されており、前記バッテリ取付部に前記バッテリが取り付けられた際に、前記バッテリが前記モータの中心軸よりも上方に配置されるように構成したことを特徴とするものである。
請求項５に記載の発明は、モータと、前記モータにより回転されるファンと、前記モータを収容するハウジングと、前記ハウジングの前部に配置される吸込口と、前記ハウジングに接続されるハンドルと、前記モータに通電するためのスイッチと、前記ハウジングに設けられ、バッテリを取付可能なバッテリ取付部と、を有するクリーナであって、前記ハンドルは、前記吸込口の後方に配置されており、前記ハウジングに対して前記バッテリを後方へと移動させることによって、前記バッテリを前記バッテリ取付部に取付可能であることを特徴とするものである。
【発明の効果】
【０００６】
本発明によれば、バッテリを取り付け易いクリーナを提供することが可能となる。
【図面の簡単な説明】
【０００７】
【図１】本発明の第１形態に係るクリーナの斜視図である。
【図２】図１のクリーナの側面図である。
【図３】図１のクリーナの縦断面図である。
【図４】図１のクリーナのバッテリ取り外し時の下面図である。
【図５】本発明の第２形態に係るクリーナの斜視図である。
【図６】図５のクリーナの側面図である。
【図７】図５のクリーナの縦断面図である。
【図８】図５のクリーナのバッテリ取り外し時の後面図である。
【図９】本発明の第３形態に係るクリーナの斜視図である。
【図１０】図９のクリーナの側面図である。
【図１１】図９のクリーナの縦断面図である。
【図１２】図９のクリーナのバッテリ取り外し時の上面図である。
【図１３】本発明の第４形態に係るクリーナの斜視図である。
【図１４】図１３のクリーナの側面図である。
【図１５】図１３のクリーナの縦断面図である。
【図１６】図１３のクリーナのバッテリ取り外し時の下面図である。
【図１７】本発明の第５形態に係るクリーナの斜視図である。
【図１８】図１７のクリーナの上面図である。
【図１９】図１７のクリーナの縦断面図である。
【図２０】図１７のクリーナのバッテリ取り外し時の側面図である。
【図２１】本発明の第６形態に係るクリーナの斜視図である。
【図２２】図２１のクリーナの側面図である。
【図２３】図２１のクリーナの縦断面図である。
【図２４】図２１のクリーナのバッテリ取り外し時の後面図である。
【図２５】本発明の第７形態に係るクリーナの斜視図である。
【図２６】図２５のクリーナの側面図である。
【図２７】図２５のクリーナの縦断面図である。
【図２８】図２５のクリーナのバッテリ取り外し時の後面図である。
【図２９】本発明の第８形態に係るクリーナの斜視図である。
【図３０】図２９のクリーナの側面図である。
【図３１】図２９のクリーナの縦断面図である。
【図３２】図２９のクリーナのバッテリ取り外し時の下面図である。
【図３３】本発明の第９形態に係るクリーナの斜視図である。
【図３４】図３３のクリーナの側面図である。
【図３５】図３３のクリーナの縦断面図である。
【図３６】図３３のクリーナのバッテリ取り外し時の下面図である。
【発明を実施するための形態】
【０００８】
以下、本発明の実施の形態（第１〜第９形態）やその変更例を、適宜図面に基づいて説明する。
【０００９】
［第１形態の構成等］
図１は、第１形態に係るクリーナ１の斜視図であり、図２は、クリーナ１の側面図であり、図３は、クリーナ１の縦断面図である。尚、図２，図３において、左がクリーナ１の前であり、上がクリーナ１の上である。
クリーナ１は、外郭としてハウジング２及びハンドルハウジング３を備えている。
又、クリーナ１は、ハウジング２の後下部におけるバッテリ取付部５に取り付けられるバッテリ６を有している。
【００１０】
ハウジング２は、その前部に配置される集塵ケース１０と、その後部に配置される本体ハウジング１２を含む。尚、本体ハウジング１２及びこれに収められる部材により、クリーナ本体４が構成される。
集塵ケース１０は、後方に開口する釣鐘状の部材であり、その前部には、ノズル状に形成された吸込口１３が配置されている。集塵ケース１０は、その開口部を本体ハウジング１２の前縁に嵌めることで、本体ハウジング１２に取り付けられる。集塵ケース１０は、本体ハウジング１２に対して捻ることで、本体ハウジング１２から外れる。吸込口１３は、集塵ケース１０内に通じている。吸込口１３は、その後部において、集めた塵が外に戻る事態を防止するための逆流防止弁１４を有している。
集塵ケース１０の内部には、ダストフィルタ１５が配置されている。
ダストフィルタ１５は、袋状のフィルタ１６と、フィルタ１６の内側に入る先細り筒状のフィルタフレーム１８と、フィルタ１６の外側を覆うプレフィルタ１９を備えている。
フィルタフレーム１８とプレフィルタ１９は、本体ハウジング１２の前部に取り付けられ、本体ハウジング１２の前部から前方へ突出する。尚、集塵ケース１０の内部における、ダストフィルタ１５の外方の空間が、集塵室となる。
【００１１】
本体ハウジング１２は、縦半割状の本体ハウジング半割各部を左右から組み合わせて形成されている。本体ハウジング半割各部は、複数のネジ孔部２０，２０・・に対し図示しないネジを入れることで互いに固定される。
本体ハウジング１２の後上部は、側面視Ｃ字状に形成されており、ハウジングの上部には、側面視逆Ｃ字状のハンドルハウジング３が接続されている。ハンドルハウジング３は、縦半割状のハンドルハウジング半割各部を左右から組み合わせて形成されている。ハンドルハウジング半割各部は、複数のネジ孔部２１，２１・・に対し図示しないネジを入れることで互いに固定される。ハンドルハウジング３によりハンドルが形成される。
ハンドルハウジング３内には、スイッチ２２が収容されると共に、スイッチ２２には、ハンドルハウジング３の中央下部から一部露出するスイッチレバー２３の上部が接続されている。尚、ハンドルハウジング３の半割各部は、対応する本体ハウジング１２の半割部と一体に形成されている。
更に、ハンドルハウジング３の前部には、ライト２４（ＬＥＤ）が収められている。
ライト２４とスイッチ２２の間には、スイッチレバー２３の前部と接続されたライト用スイッチ２４ａが収められており、ライト用スイッチ２４ａの下方（本体ハウジング１２内、後述のモータ２９の上側）には、中継基板２５が収められている。尚、本体ハウジング１２の下部中央には、クリーナ１を置いた際に安定させるための、下方へ突出する突起２６が設けられている。
【００１２】
又、本体ハウジング１２の前部には、ファンケース２７を介してモータケース２８が固定されており、モータケース２８に対してモータ２９が取り付けられていて、モータ２９の回転軸３０にファン３４が取り付けられている。モータ２９に対するファン３４の取付により、ファン３４がモータ２９により回転可能となり、電動の送風機が構成されることとなる。
ファンケース２７は、開口部を後に向けた碗状の部材であって、前側中央において、複数の小孔が連なることで形成される内部吸気口３５を備えている。内部吸気口３５の周辺部分は、ダストフィルタ１５後縁に隣接している。
モータケース２８は、鉛直面に沿う円盤状のベース部２８ａの後面から、円筒状のモータ収容リブ２８ｂを後方へ突出させた形状となっており、ベース部２８ａがファンケース２７の開口部内側に取り付けられることで固定されている。モータケース２８のベース部２８ａには、内部排気口３６が開けられている。
ファン３４は、複数の羽根３８，３８・・を備えた、全方向吹き出し型の遠心ファンである。各羽根３８は、前方から見て放射方向から右へ漸次逸れるような渦線状の形状となるように、前方へ立設されている。
ファン３４は、ファンケース２７の内方に位置しており、内部吸気口３５の後側に配置されている。
本体ハウジング１２の下部中央には、複数のスリットにより形成される排気口３９が開けられている。排気口３９は、モータ２９の後下方の左右両側に配置される。
【００１３】
図４は、バッテリ６を外した状態におけるクリーナ１の下面図である。
本体ハウジング１２の後下部には、バッテリ取付部５が設けられている。
バッテリ取付部５は、水平な平面状部５０と、その左側に配置された斜面状部５１を含んでいる。
斜面状部５１は、左辺から右へ行くほど下となる斜面を備えている。斜面状部５１の中央部には、係合凹部５２が形成されている。
平面状部５０の前後辺には、それぞれ、左右方向に延びるレール部５３が形成されている。各レール部５３は、平面状部５０から下方へ突出している。
各レール部５３の内側には、導電性の接続端子５４，５４が２個配置されている。各接続端子５４は、左右方向に延びており、平面状部５０から下方へ突出している。各接続端子５４は、クリーナ１の電気回路に組み込まれており、一方の接続端子５４がプラス側に組み込まれ、他方の接続端子５４がマイナス側に組み込まれる。
【００１４】
バッテリ取付部５には、バッテリ６が取り付けられる。
バッテリ６は、バッテリ取付部５の平面状部５０ないし斜面状部５１に対応する上面を有するブロック状の部材である。バッテリ６は、セルを８個有するリチウムイオン電池であり、電圧が１４．４Ｖ（ボルト）である電気を供給可能であって、図示しない別個の充電器に装着することにより充電可能である。
バッテリ６の上部には、斜面状部５１に対応する斜面を有する上方への突出部６０が形成されている。
バッテリ６の上面には、接続端子５４，５４を受け入れ可能な図示しない導電性の端子溝がそれぞれ形成されている。各端子溝は、バッテリ取付部５のレール部５３の内側に沿うような、上方へ突出する図示しないリブ内に設けられている。
突出部６０を含むバッテリ６の左部には、ボタン用窓６１と、ボタン用窓６１の内側で上下にスライドするスライダ６２が設けられている。スライダ６２は、指等を掛けるスライダ凹部６３を有している。スライダ６２は、図示しない弾性体（スプリング）により、上方へ付勢されており、通常、スライダ凹部６３がボタン用窓６１の上部に位置するように付勢されている。
スライダ６２は、突出部６０の斜面から出没する図示しない係合爪を有しており、当該係合爪は、スライダ６２に連動する。スライダ６２がボタン用窓６１の上部にあると、上記係合爪の上部が突出部６０の斜面から突出し、スライダ６２を付勢力に抗して下方へスライドし、スライダ凹部６３をボタン用窓６１の下部に位置させると、上記係合爪が突出部６０の斜面より内側に没する。上記係合爪は、突出部６０の斜面から出ていると、バッテリ取付部５の係合凹部５２に係合することができ、突出部６０に隠れると、バッテリ取付部５の係合凹部５２から離脱することができる。
スイッチ２２、ライト２４、ライト用スイッチ２４ａ、中継基板２５、モータ２９、バッテリ取付部５の各接続端子５４、及びバッテリ取付部５に取り付けられたバッテリ６の端子溝は、図示しない配線により、互いに電気的に接続されている。
【００１５】
バッテリ６は、上記係合爪が係合凹部５２に係合することで、バッテリ取付部５に対し固定される。この固定状態において、スライダ６２を下方にスライド操作すると、上記の係合が解除され、そのままバッテリ６をハウジング２に対し左へ移動させると、バッテリ６がバッテリ取付部５から取り外される。
又、バッテリ取付部５にバッテリ６がない状態において、バッテリ６を突出部６０が左上となるようにしてバッテリ取付部５の左方（左の側方）に位置させ、突出部６０以外の上面をバッテリ取付部５の平面状部５０と合わせた状態で、バッテリ６をハウジング２に対し右へ移動させると、バッテリ６の上記リブがバッテリ取付部５のレール部５３に案内されて、突出部６０が斜面状部５１に接触するまで移動が継続し、当該接触により上記係合爪が係合凹部５２に係合し、バッテリ６がバッテリ取付部５に装着される。
バッテリ６は、突出部６０により、バッテリ取付部５下側の適切な位置に取り付けられるし、各端子溝の極性がバッテリ取付部５の接続端子５４の極性と合致する状態で取り付けられる。
【００１６】
［第１形態の作動例等］
このようなクリーナ１は、例えば次のように動作する。
作業者がハンドルハウジング３を握り、スイッチレバー２３を操作すると、スイッチレバー２３がまずライト用スイッチ２４ａをＯＮにしてライト２４に対してバッテリ６の電気を通電させ、次いでスイッチレバー２３がスイッチ２２をＯＮにしてモータ２９に対して通電させる。ライト２４への通電により、ライト２４が点灯する。又、モータ２９への通電により、モータ２９は、回転軸３０を介してファン３４を回転させる。ファン３４が回転すると、各羽根３８によりエアが外方へ送られる。そして、この状態の継続により、次に説明するようなエアの流れ（風）が発生する。
【００１７】
即ち、エアが吸込口１３から吸引され、集塵ケース１０内に取り込まれる。取り込まれたエアは、ダストフィルタ１５を通過する。この通過の際、エア内の塵埃がフィルタ１６やプレフィルタ１９により捕捉される。
塵埃が除去されたエアは、内部吸気口３５を通じてファンケース２７に入り、ファン３４によりその外方に送られる。
ファン３４に吸引されたエアは、ファンケース２７の内壁に当たり、後方に曲げられて、モータケース２８の内部排気口３６に案内される。
エアは、本体ハウジング１２に直接吹き当たらないため、風量ムラによる本体ハウジング１２の振動が抑制される。
内部排気口３６に至ったエアは、後方に進み、排気口３９から外方に排気される。
【００１８】
［第１形態の作用効果等］
以上のクリーナ１は、モータ２９と、モータ２９により回転されるファン３４と、モータ２９を収容するハウジング２と、ハウジング２の前部に配置される吸込口１３と、ハウジング２に接続されるハンドルハウジング３と、モータ２９に通電するためのスイッチ２２と、ハウジング２に設けられ、バッテリ６を取付可能なバッテリ取付部５と、を有しており、ハンドルハウジング３は、吸込口１３の後方に配置されており、ハウジング２に対してバッテリ６を左方から移動させることによって、バッテリ６をバッテリ取付部５に取付可能である。
よって、作業者は、吸込口１３を前方に向けてハウジング２を支持した状態で、即ちハウジング２を吸込作業時と同様な姿勢で支持した状態で、バッテリ６をバッテリ取付部５に対して右方へ押し込むことで取り付けることができ、作業者は自然な姿勢で容易にバッテリ６を取り付けることができる。又、作業者は、吸込口１３を前方に向けてハウジング２を支持した状態で、バッテリ６をバッテリ取付部５から左方へ引き出すことで取り外すことができ、バッテリ６を自然な姿勢で容易に取り外すことができる。更に、バッテリ取付部５の接続端子５４，５４をモータ２９に対して近づけ易く、よって配線をし易くすることができるし、配線に掛る負荷を軽減することができる。又、バッテリ取付部５の接続端子５４，５４が前後方向に対して交差する方向に延びているため、接続端子５４，５４やバッテリ６取付時の端子溝が前後方向の振動や衝撃に対して抗し易く、接続端子５４，５４やバッテリ６取付時の端子溝におけるチャタリングの発生が抑制される。更に、バッテリ６をバッテリ取付部５に対して左右方向に沿って移動させて脱着するので、前後方向に移動させる場合に比べて、バッテリ６が不意に落下し難くなる。
【００１９】
［第２形態等］
図５ないし図８は、本発明の第２形態に係るクリーナ１０１における図１ないし図４に順に対応する図である。
第２形態のクリーナ１０１は、次の点を除き、第１形態のクリーナ１と同様に成る。即ち、クリーナ１０１は、ハウジング２におけるバッテリ取付部１０５の向きが、クリーナ１のバッテリ取付部５の向きと異なる。第１形態のクリーナ１と同様の部材や部分については、同じ符号を付し、適宜説明を省略する。
クリーナ１０１のバッテリ取付部１０５は、本体ハウジング１２の後部において、接続端子５４，５４を有する鉛直な平面状部５０が後側となるように形成されている。バッテリ取付部１０５の斜面状部５１は、左に配置されている。各接続端子５４は、後方へ突出している。
【００２０】
バッテリ６は、係合爪が係合凹部５２に係合することで、バッテリ取付部１０５に対し固定される。この固定状態において、スライダ６２を後方にスライド操作すると、上記の係合が解除され、そのままバッテリ６をハウジング２に対し左へ移動させると、バッテリ６がバッテリ取付部１０５から取り外される。
又、バッテリ取付部５にバッテリ６がない状態において、バッテリ６を突出部６０が左前となるようにしてバッテリ取付部１０５の左方（左の側方）に位置させ、突出部６０以外の前面をバッテリ取付部５の平面状部５０と合わせた状態で、バッテリ６をハウジング２に対し右へ移動させると、バッテリ６のリブがバッテリ取付部１０５のレール部５３に案内されて、突出部６０が斜面状部５１に接触するまで移動が継続し、当該接触により係合爪が係合凹部５２に係合し、バッテリ６がバッテリ取付部１０５に装着される。
バッテリ６は、突出部６０により、バッテリ取付部１０５後側の適切な位置に取り付けられるし、各端子溝の極性がバッテリ取付部５の接続端子５４の極性と合致する状態で取り付けられる。
【００２１】
第２形態のクリーナ１０１は、モータ２９と、モータ２９により回転されるファン３４と、モータ２９を収容するハウジング２と、ハウジング２の前部に配置される吸込口１３と、ハウジング２に接続されるハンドルハウジング３と、モータ２９に通電するためのスイッチ２２と、ハウジング２に設けられ、バッテリ６を取付可能なバッテリ取付部５と、を有しており、ハンドルハウジング３は、吸込口１３の後方に配置されており、ハウジング２に対してバッテリ６を左方から移動させることによって、バッテリ６をバッテリ取付部１０５に取付可能である。
よって、作業者は、吸込口１３を前方に向けてハウジング２を支持した状態で、即ちハウジング２を吸込作業時と同様な姿勢で支持した状態で、バッテリ６をバッテリ取付部１０５に対して右方へ押し込むことで取り付けることができ、作業者は自然な姿勢で容易にバッテリ６を取り付けることができる。又、作業者は、吸込口１３を前方に向けてハウジング２を支持した状態で、バッテリ６をバッテリ取付部１０５から左方へ引き出すことで取り外すことができ、バッテリ６を自然な姿勢で容易に取り外すことができる。又、バッテリ取付部１０５の接続端子５４，５４が前後方向に対して交差する方向に延びているため、接続端子５４，５４やバッテリ６取付時の端子溝が前後方向の振動や衝撃に対して抗し易く、接続端子５４，５４やバッテリ６取付時の端子溝におけるチャタリングの発生が抑制される。更に、バッテリ６をバッテリ取付部１０５に対して左右方向に沿って移動させて脱着するので、前後方向に移動させる場合に比べて、バッテリ６が不意に落下し難くなる。
【００２２】
［第３形態等］
図９ないし図１２は、本発明の第３形態に係るクリーナ２０１における図１ないし図４に順に対応する図である。但し、図９ないし図１２では、図の右がクリーナ２０１の前方となっている。
第３形態のクリーナ２０１は、次の点を除き、第１形態のクリーナ１と同様に成る。即ち、クリーナ２０１は、ハウジング、ダストフィルタ、スイッチ、バッテリ取付部、バッテリの構成が、第１形態と異なる。第１形態のクリーナ１と同様の部材や部分については、同じ符号を付し、適宜説明を省略する。
【００２３】
クリーナ２０１のハウジング２０２は、ダストフィルタ２１５上方の蓋２１０と、蓋２１０の蝶番２１１と、蝶番２１１が接続される本体ハウジング２１２を含む。本体ハウジング２１２は、吸込口１３並びに蓋２１０及び蝶番２１１の周辺から、後部の側面視ｒ字状のハンドル２０３の下方までに亘り形成されている。本体ハウジング２１２の中央下部の左右両側には、それぞれ排気口３９が開けられている。尚、本体ハウジング２１２及びこれに収められる部材により、クリーナ本体２０４が構成される。
ハンドル２０３は、ハウジング２０２の後部と併せてループ状となっており、本体ハウジング２１２と一体となっていて、ハウジング２０２と接続されている。本体ハウジング２１２及びハンドル２０３は、半割部分がネジ２２０，２２０・・により互いに組付けられることで形成されている。
本体ハウジング２１２における蓋２１０の前方部分には、蓋２１０に対して係脱する蓋開閉ボタン２０９が配置されており、蓋２１０閉鎖時に蓋開閉ボタン２０９を押すことにより、蓋開閉ボタン２０９の蓋２１０に対する係合が解除されて、蓋２１０を上へ開くことが可能となる。蓋２１０は、蝶番２１１により、起立するまで開き、蝶番２１１が保有する弾性体２１３（トーションスプリング）により、起立姿勢を保つことが可能である。又、蓋２１０を閉じれば、蓋開閉ボタン２０９が蓋２１０に対して係合し、蓋２１０が閉じる。
ダストフィルタ２１５は、一枚の袋にて構成される。
スイッチ２２２は、クリーナ２０１の上部であって、ハンドル２０３と本体ハウジング２１２の境目に配置されている。スイッチ２２２は、２つのボタンを有しており、第１のボタンは通電を指令するＯＮのボタンで、第２のボタンは通電停止を指令するＯＦＦのボタンである。尚、クリーナ２０１では、ライト２４やライト用スイッチ２４ａが省略されている。
【００２４】
本体ハウジング２１２の上部の中央には、バッテリ取付部２０５が設けられている。
バッテリ取付部２０５は、ハンドル部２０３の前方に配置されており、上方に突出する筒状のリブ２５０と、リブ２５０内に形成された凹部２５１を含んでいる。
凹部２５１の底の左部と右部には、導電性の接続端子２５４がそれぞれ配置されている。各接続端子２５４は、前後方向に延びており、凹部２５１の底から上方へ突出している。各接続端子２５４は、クリーナ２０１の電気回路に組み込まれており、一方の接続端子２５４がプラス側に組み込まれ、他方の接続端子２５４がマイナス側に組み込まれる。
【００２５】
バッテリ取付部２０５には、バッテリ２０６が取り付けられる。
バッテリ２０６は、バッテリ取付部２０５の凹部２５１の底に対応する下面を有する、角を丸めた三角柱状の部材である。バッテリ２０６は、セルを３個有するリチウムイオン電池であり、電圧が１０．８Ｖである電気を供給可能である。
バッテリ２０６の上部には、その下部に対し、リブ２５０外面の上方延長面に達する程度まで放射方向に膨らんだ形状となる笠部２６０が形成されている。バッテリ２０６における笠部２６０より下側の形状は、バッテリ取付部２０５の凹部２５１の形状と同様となっている。
バッテリ２０６の下面には、対応する接続端子２５４を受け入れ可能な図示しない導電性の端子凹部がそれぞれ形成されている。
又、笠部２６０の左部及び右部には、爪２６２ａ（図１１参照）を有するボタン２６２がそれぞれ設けられている。一方、リブ２５０の左部及び右部には、爪２６２ａを係合させるための係合部２５２がそれぞれ設けられている。各ボタン２６２は、リブ２５０の対応する係合部２５２に対し、係脱可能である。
スイッチ２２２、モータ２９、バッテリ取付部２０５の各接続端子２５４、及びバッテリ取付部２０５に取り付けられたバッテリ２０６の端子凹部は、図示しない配線により、互いに電気的に接続されている。
【００２６】
バッテリ２０６は、ボタン２６２の爪２６２ａがリブ２５０の係合部２５２に係合することで、バッテリ取付部２０５に対し固定される。この固定状態において、爪２６２ａの係合部２５２に対する係合をボタン２６２の押込みにより解除して、そのままバッテリ２０６をハウジング２０２に対し上へ移動させると、バッテリ２０６がバッテリ取付部２０５から取り外される。
又、バッテリ取付部２０５にバッテリ２０６がない状態において、バッテリ２０６を笠部２６０が上となるようにしてバッテリ取付部２０５の上方に位置させ、バッテリ２０６をハウジング２０２に対し下へ移動させると、バッテリ２０６の下部がバッテリ取付部２０５の凹部２５１に案内されて、凹部２５１の底にバッテリ２０６の下面が接触するまで移動が継続し、当該接触により笠部２６０の下部がリブ２５０の上部に接触し、爪２６２ａが係合部２５２に係合して、バッテリ２０６がバッテリ取付部２０５に装着される。
バッテリ２０６は、その下部の形状及び凹部２５１の形状や、各ボタン２６２の配置及びリブ２５０における各ボタン２６２との係合部の配置や、笠部２６０とリブ２５０の接触により、バッテリ取付部２０５における適切な位置に取り付けられるし、各端子凹部の極性がバッテリ取付部２０５の接続端子２５４の極性と合致する状態で取り付けられる。
【００２７】
第３形態のクリーナ２０１は、モータ２９と、モータ２９により回転されるファン３４と、モータ２９を収容するハウジング２０２と、ハウジング２０の前部に配置される吸込口１３と、ハウジング２０２に接続されるハンドル２０３と、モータ２９に通電するためのスイッチ２２２と、ハウジング２０２に設けられ、バッテリ２０６を取付可能なバッテリ取付部２０５と、を有しており、ハンドル２０３は、吸込口１３の後方に配置されており、バッテリ取付部２０５は、ハンドル２０３の前方に配置されている。
よって、バッテリ取付部２０５が吸込口１３とハンドル２０３の間に配置され、モータ２９に隣接して配置されることとなり、配線がし易いし、配線の長さが短くて済む。又、バッテリ２０６がハンドル２０３の前方となるため、作業者はバッテリ２０６を取り付けたハウジング２０２を支持し易く、作業時の操作性も良好となる。更に、バッテリ２０６の抜き差しも、ハンドル２０３を作業時と同様に持ちながら行えるため、実行し易い。加えて、ハンドル２０３を握る際に、バッテリ６（やバッテリ取付部２０５のリブ２５０）を利用する（例えば親指をかける）ことができ、操作性を良好にできるし、排気口３９を自然に塞がないようにすることができる。又、バッテリ取付部２０５が上方へ開放した凹部となるので、バッテリ６が意図せず脱落する可能性が低減される。
【００２８】
［第４形態等］
図１３ないし図１６は、本発明の第４形態に係るクリーナ３０１における図１ないし図４に順に対応する図である。但し、図１３ないし図１６では、図の左がクリーナ３０１の前方となっている。
第４形態のクリーナ３０１は、次の点を除き、第３形態のクリーナ２０１と同様に成る。即ち、クリーナ３０１は、ハウジング２０２におけるバッテリ取付部３０５の配置や向きが、クリーナ２０１のバッテリ取付部２０５の配置や向きと異なり、バッテリ３０６も異なる。第３形態のクリーナ２０１と同様の部材や部分については、同じ符号を付し、適宜説明を省略する。
【００２９】
クリーナ３０１のバッテリ取付部３０５は、ハウジング２０２の後下部において形成されている。
バッテリ取付部３０５は、形状や大きさを除き、バッテリ取付部２０５と同様に形成されている。即ち、係合部２５２，２５２を有する楕円状のリブ２５０と、その内方に配置された、ハウジング２０２の後下部から上方へ窪む凹部２５１を有する。又、凹部２５１の底の左部と右部に、前後方向を向く接続端子２５４がそれぞれ配置されている。
尚、クリーナ３０１のハウジング２０２の中央の上部であって、スイッチ２２２の前方には、バッテリ３０６の電気の残量が少ないときに点灯態様が切り替わる残量警告ランプ３２４が設置されている。残量警告ランプ３２４は、クリーナ３０１の電気回路に組み込まれており、ここでは、バッテリ３０６の電圧が所定閾値以下となった場合に、消灯の態様から点灯の態様に変わって、当該閾値以下であれば点灯し続けるものとなっている。
【００３０】
バッテリ取付部３０５には、バッテリ３０６が取り付けられる。
バッテリ３０６は、バッテリ取付部３０５の凹部２５１の底に対応する上面を有する、角を丸めた楕円柱状の部材である。バッテリ３０６は、セルを２個有するリチウムイオン電池であり、電圧が７．２Ｖである電気を供給可能である。
バッテリ３０６は、形状や大きさ、セルの数を除き、バッテリ２０６と同様に形成される。即ち、下部に笠部２６０を有している。又、バッテリ３０６の上面には、対応する接続端子２５４を受け入れ可能な図示しない導電性の端子凹部がそれぞれ形成されている。更に、バッテリ取付部３０５のリブ２５０の凸部２５０ａ，２５０ａに対し係脱可能なボタン２６２が設けられている。ボタン２６２は、対応する凸部２５０ａに係止可能な、図示しない爪を有している。
【００３１】
バッテリ３０６は、ボタン２６２の爪が凸部２５０ａに係合することで、バッテリ取付部３０５に対し固定される。この固定状態において、ボタン２６２の押込みにより係合を解除して、そのままバッテリ３０６をハウジング２０２に対し下へ移動させると、バッテリ３０６がバッテリ取付部３０５から取り外される。
又、バッテリ取付部３０５にバッテリ３０６がない状態において、バッテリ３０６を笠部２６０が下となるようにしてバッテリ取付部３０５の下方に位置させ、バッテリ３０６をハウジング２０２に対し上へ移動させると、バッテリ３０６の上部がバッテリ取付部３０５の凹部２５１に案内されて、凹部２５１の底にバッテリ３０６の上面が接触するまで移動が継続し、当該接触により笠部２６０の上部がリブ２５０の下部に接触し、ボタン２６２がリブ２５０に係合して、バッテリ３０６がバッテリ取付部３０５に装着される。
バッテリ３０６は、その上部の形状及び凹部２５１の形状や、ボタン２６２の配置及びリブ２５０におけるボタン２６２との係合部の配置や、笠部２６０とリブ２５０の接触により、バッテリ取付部３０５における適切な位置に取り付けられるし、バッテリ３０６の各端子凹部の極性がバッテリ取付部３０５の接続端子２５４の極性と合致する状態で取り付けられる。
【００３２】
第４形態のクリーナ３０１は、モータ２９と、モータ２９により回転されるファン３４と、モータ２９を収容するハウジング２０２と、ハウジング２０２の前部に配置される吸込口１３と、ハウジング２０２に接続されるハンドル２０３と、モータ２９に通電するためのスイッチ２２２と、ハウジング２０２に設けられ、バッテリ３０６を取付可能なバッテリ取付部３０５と、を有しており、ハンドル２０３は、吸込口１３の後方に配置されており、ハウジング２０２に対してバッテリ３０６を下方から移動させることによって、バッテリ３０６をバッテリ取付部３０５に取付可能である。
よって、作業者は、バッテリ３０６の脱着時において、吸込口１３を下にしてハンドル２０３の上部を第１の手で握り、横向きとなったバッテリ取付部３０５の凹部２５１に対しバッテリ３０６を第２の手で掴んで移動することができ、手や腕の姿勢を自然な状態としてバッテリ３０６の着脱を容易に行うことができる。又、バッテリ３０６の取り外し時に、ハンドル２０３を上方に位置させると、重力の助けが得られるので、バッテリ３０６を取り外し易い。更に、バッテリ取付部３０５が下向きであるため、バッテリ取付部３０５に埃が溜まりにくく、埃により短絡が発生する可能性を低減することができる。
【００３３】
［第５形態等］
図１７ないし図２０は、本発明の第５形態に係るクリーナ４０１における図１ないし図４に順に対応する図である。但し、図１７及び図２０では、図の左がクリーナ４０１の前方となっており、図１８及び図１９では、図の右がクリーナ４０１の前方となっている。
第５形態のクリーナ４０１は、次の点を除き、第３形態のクリーナ２０１と同様に成る。即ち、クリーナ４０１は、ハウジング２０２におけるバッテリ取付部４０５の配置や向きが、クリーナ２０１のバッテリ取付部２０５の配置や向きと異なる。第３形態のクリーナ２０１と同様の部材や部分については、同じ符号を付し、適宜説明を省略する。尚、クリーナ４０１は、第４形態と同様に、残量警告ランプ３２４を有する。
【００３４】
クリーナ４０１のバッテリ取付部４０５は、ハウジング２０２の後部側面において形成されている。
バッテリ取付部４０５は、配置や向きを除き、バッテリ取付部２０５と同様に形成されている。バッテリ取付部４０５は、側面視ｒ字状のハンドル２０３の下方に配置される。バッテリ取付部４０５の凹部２５１は、ハウジング２０２左側面から右方へ窪んでおり、リブ２５０が左へ突出し、底が右側となるように向けられている。
バッテリ取付部４０５には、バッテリ２０６が取り付けられる。
【００３５】
バッテリ２０６は、バッテリ取付部４０５に対し、バッテリ取付部２０５の場合と同様に固定される。この固定状態において、ボタン２６２の押込みにより係合を解除して、そのままバッテリ２０６をハウジング２０２に対し左へ移動させると、バッテリ２０６がバッテリ取付部４０５から取り外される。
又、バッテリ取付部４０５にバッテリ２０６がない状態において、バッテリ２０６を笠部２６０が左となるようにしてバッテリ取付部４０５の左方に位置させ、バッテリ２０６をハウジング２０２に対し右へ移動させると、バッテリ２０６の右部がバッテリ取付部４０５の凹部２５１に案内されて、凹部２５１の底にバッテリ２０６の右面が接触するまで移動が継続し、当該接触により笠部２６０の右部がリブ２５０の左部に接触し、ボタン２６２がリブ２５０に係合して、バッテリ２０６がバッテリ取付部４０５に装着される。
バッテリ２０６は、その右部の形状及び凹部２５１の形状や、各ボタン２６２の配置及びリブ２５０における何れかのボタン２６２に対応する係合部２５２の配置や、笠部２６０とリブ２５０の接触により、バッテリ取付部４０５における適切な位置に取り付けられるし、バッテリ２０６の各端子凹部４６６（図１９参照）の極性がバッテリ取付部４０５の接続端子２５４の極性と合致する状態で取り付けられる。
【００３６】
第５形態のクリーナ４０１は、モータ２９と、モータ２９により回転されるファン３４と、モータ２９を収容するハウジング２０２と、ハウジング２０２の前部に配置される吸込口１３と、ハウジング２０２に接続されるハンドル２０３と、モータ２９に通電するためのスイッチ２２２と、ハウジング２０２に設けられ、バッテリ２０６を取付可能なバッテリ取付部４０５と、を有しており、ハンドル２０３は、吸込口１３の後方に配置されており、ハウジング２０２に対してバッテリ２０６を左方から移動させることによって、バッテリ２０６をバッテリ取付部４０５に取付可能である。
よって、作業者は、吸込口１３を前方に向けてハウジング２０２を支持した状態で、即ちハウジング２０２を吸込作業時と同様な姿勢で支持した状態で、バッテリ２０６をバッテリ取付部４０５に対して右方へ押し込むことで取り付けることができ、作業者は自然な姿勢で容易にバッテリ２０６を取り付けることができる。又、作業者は、吸込口１３を前方に向けてハウジング２０２を支持した状態で、バッテリ２０６をバッテリ取付部４０５から左方へ引き出すことで取り外すことができ、バッテリ２０６を自然な姿勢で容易に取り外すことができる。更に、バッテリ取付部４０５の接続端子２５４，２５４をモータ２９に対して近づけ易く、よって配線をし易くすることができるし、配線に掛る負荷を軽減することができる。加えて、バッテリ２０６をバッテリ取付部４０５に対して左右方向に沿って移動させて脱着するので、前後方向に移動させる場合に比べて、バッテリ２０６が不意に落下し難くなる。
【００３７】
［第６形態等］
図２１ないし図２４は、本発明の第６形態に係るクリーナ５０１における図１ないし図４に順に対応する図である。但し、図２１ないし図２３では、図の右がクリーナ５０１の前方となっている。
第６形態のクリーナ５０１は、次の点を除き、第５形態のクリーナ４０１と同様に成る。即ち、クリーナ５０１は、ハウジング２０２におけるバッテリ取付部５０５の配置や向きが、クリーナ４０１のバッテリ取付部４０５の配置や向きと異なる。第５形態のクリーナ４０１と同様の部材や部分については、同じ符号を付し、適宜説明を省略する。
【００３８】
クリーナ５０１のバッテリ取付部５０５は、ハウジング２０２の後上部において形成されている。
バッテリ取付部５０５は、配置や向きを除き、バッテリ取付部４０５と同様に形成されている。バッテリ取付部５０５は、側面視ｒ字状のハンドル２０３の後側に配置される。バッテリ取付部５０５の凹部２５１は、ハウジング２０２後面から前方斜め上へ窪んでおり、リブ２５０が後方（且つやや下方）へ突出し、底が前側となるように向けられている。バッテリ取付部５０５の凹部２５１は、ハンドル２０３上部の中心線の延長線に沿う方向に向けられている。
バッテリ取付部５０５には、バッテリ２０６が取り付けられる。
【００３９】
バッテリ２０６は、バッテリ取付部５０５に対し、バッテリ取付部４０５の場合と同様に固定される。この固定状態において、ボタン２６２の押込みにより係合を解除して、そのままバッテリ２０６をハウジング２０２に対し後方へ移動させると、バッテリ２０６がバッテリ取付部５０５から取り外される。各ボタン２６２は、バッテリ取付部５０５にバッテリ２０６が取り付けられている場合、笠部２６０の下部の左又は右に位置する。
又、バッテリ取付部５０５にバッテリ２０６がない状態において、バッテリ２０６を笠部２６０が後となるようにしてバッテリ取付部５０５の後方に位置させ、バッテリ２０６をハウジング２０２に対し前へ移動させると、バッテリ２０６の前部がバッテリ取付部５０５の凹部２５１に案内されて、凹部２５１の底にバッテリ２０６の前面が接触するまで移動が継続し、当該接触により笠部２６０の前部がリブ２５０の後部に接触し、ボタン２６２の爪２６２ａ（図２３参照）がリブ２５０の係合部２５２に係合して、バッテリ２０６がバッテリ取付部５０５に装着される。
バッテリ２０６は、その前部の形状及び凹部２５１の形状や、各ボタン２６２の配置及びリブ２５０における何れかのボタン２６２に対応する係合部２５２の配置や、笠部２６０とリブ２５０の接触により、バッテリ取付部５０５における適切な位置に取り付けられるし、バッテリ２０６の各端子凹部（図示せず）の極性がバッテリ取付部５０５の接続端子２５４の極性と合致する状態で取り付けられる。
バッテリ取付部５０５はハウジング２０２の後上部に配置されるため、バッテリ取付部５０５にバッテリ２０６が取り付けられると、バッテリ２０６がモータ２９の中心軸（回転軸３０）よりも上方に配置される。
【００４０】
第６形態のクリーナ５０１は、モータ２９と、モータ２９により回転されるファン３４と、モータ２９を収容するハウジング２０２と、ハウジング２０２の前部に配置される吸込口１３と、ハウジング２０２に接続されるハンドル２０３と、モータ２９に通電するためのスイッチ２２２と、ハウジング２０２に設けられ、バッテリ２０６を取付可能なバッテリ取付部５０５と、を有しており、ハンドル２０３は、吸込口１３の後方に配置されており、バッテリ取付部５０５にバッテリ２０６が取り付けられた際に、バッテリ２０６がモータ２９の中心軸よりも上方に配置される。
よって、比較的に重量の嵩む部材であるモータ２９とバッテリ２０６を、作業者による吸込作業時におけるクリーナ５０１の姿勢（吸込口１３が下でハンドル２０３が上となり、ハウジング２０２が鉛直姿勢か鉛直方向から倒れた姿勢）に適するようにバランス良く配置することができ、作業性（操作性）を良好にすることができる。
尚、バッテリ取付部５０５がハンドル２０３の後側にあり、あるいは更にハンドル２０３上部の中心線の延長線に沿う向きとされているため、バッテリ２０６着脱の際に作業者が握るハンドル２０３の上部と同様な方向にバッテリ２０６を移動させれば良く、しっかり保持した箇所に対してバッテリ２０６を移動させるため安心感が高く、作業者はバッテリ２０６を脱着させ易い。又、バッテリ取付部５０５がハウジング２０２の上部（ハンドル２０３）に配置されているため、ハンドル２０３が上方となる姿勢でクリーナ５０１を落下させたとしても、バッテリ取付部５０５やバッテリ２０６が直接当たる事態を避けることができ、これらを保護することができる。更に、バッテリ取り外し用のボタン２６２，２６２は、バッテリ２０６の下部の左又は右に配置されているので、バッテリ２０６の脱着時にその下側を操作しながら掌で保持することができ、バッテリ２０６を落とし難くなるし、バッテリ２０６の着脱を容易に行うことができる。
【００４１】
［第７形態等］
図２５ないし図２８は、本発明の第７形態に係るクリーナ６０１における図１ないし図４に順に対応する図である。
第７形態のクリーナ６０１は、次の点を除き、第１形態のクリーナ１と同様に成る。即ち、クリーナ６０１は、ハウジング２におけるバッテリ取付部６０５の向きが、クリーナ１のバッテリ取付部５の向きと異なる。第１形態のクリーナ１と同様の部材や部分については、同じ符号を付し、適宜説明を省略する。
【００４２】
クリーナ６０１のバッテリ取付部６０５は、向きを除き、バッテリ取付部５と同様に形成されている。バッテリ取付部６０５は、平面状部５０が上下左右に拡がり、斜面状部５１が下側となり、接続端子５４，５４が上下に延びるように向けられている。
バッテリ取付部６０５には、バッテリ６が取り付けられる。
【００４３】
バッテリ６は、バッテリ取付部６０５に対し、バッテリ取付部５の場合と同様に固定される。この固定状態において、スライダ６２の後方へのスライドにより係止爪６６２（図２７参照）の係合凹部５２に対する係合を解除して、そのままバッテリ６をハウジング２に対し下方へ移動させると、バッテリ６がバッテリ取付部６０５から取り外される。
又、バッテリ取付部６０５にバッテリ６がない状態において、バッテリ６を突出部６０が前下となるようにしてバッテリ取付部６０５の下方に位置させ、突出部６０以外の上面をバッテリ取付部５の平面状部５０と合わせた状態で、バッテリ６をハウジング２に対し上へ移動させると、バッテリ６のリブがバッテリ取付部６０５のレール部５３に案内されて、突出部６０が斜面状部５１に接触するまで移動が継続し、当該接触により係合爪６６２が係合凹部５２に係合し、バッテリ６がバッテリ取付部６０５に装着される。
バッテリ６は、突出部６０により、バッテリ取付部６０５後側の適切な位置に取り付けられるし、各端子溝の極性がバッテリ取付部６０５の接続端子５４の極性と合致する状態で取り付けられる。
【００４４】
第７形態のクリーナ６０１は、モータ２９と、モータ２９により回転されるファン３４と、モータ２９を収容するハウジング２と、ハウジング２の前部に配置される吸込口１３と、ハウジング２に接続されるハンドルハウジング３と、モータ２９に通電するためのスイッチ２２と、ハウジング２に設けられ、バッテリ６を取付可能なバッテリ取付部６０５と、を有しており、ハンドルハウジング３は、吸込口１３の後方に配置されており、ハウジング２に対してバッテリ６を下方から移動させることによって、バッテリ６をバッテリ取付部６０５に取付可能である。
よって、作業者は、バッテリ６の脱着時において、吸込口１３を下にしてハンドル２０３の上部を第１の手で握り、横向きとなったバッテリ取付部６０５のレール５３に対しバッテリ６を第２の手で掴んで移動することができ、手や腕の姿勢を自然な状態としてバッテリ６の着脱を容易に行うことができる。
【００４５】
［第８形態等］
図２９ないし図３２は、本発明の第８形態に係るクリーナ７０１における図１ないし図４に順に対応する図である。
第８形態のクリーナ７０１は、次の点を除き、第１形態のクリーナ１と同様に成る。即ち、クリーナ７０１は、ハウジング２におけるバッテリ取付部７０５の向きが、クリーナ１のバッテリ取付部５の向きと異なる。第１形態のクリーナ１と同様の部材や部分については、同じ符号を付し、適宜説明を省略する。
【００４６】
クリーナ７０１のバッテリ取付部７０５は、向きを除き、バッテリ取付部５と同様に形成されている。バッテリ取付部７０５は、平面状部５０が水平となり、斜面状部５１が前側となり、接続端子５４，５４が前後に延びるように向けられている。
バッテリ取付部７０５には、バッテリ６が取り付けられる。
【００４７】
バッテリ６は、バッテリ取付部７０５に対し、バッテリ取付部５の場合と同様に固定される。この固定状態において、スライダ６２の下方へのスライドにより係止爪６６２（図３１参照）の係合凹部５２に対する係合を解除して、そのままバッテリ６をハウジング２に対し前方へ移動させると、バッテリ６がバッテリ取付部７０５から取り外される。
又、バッテリ取付部７０５にバッテリ６がない状態において、バッテリ６を突出部６０が前上となるようにしてバッテリ取付部７０５の前方に位置させ、突出部６０以外の上面をバッテリ取付部７０５の平面状部５０と合わせた状態で、バッテリ６をハウジング２に対し後へ移動させると、バッテリ６のリブがバッテリ取付部７０５のレール部５３に案内されて、突出部６０が斜面状部５１に接触するまで移動が継続し、当該接触により係合爪６６２が係合凹部５２に係合し、バッテリ６がバッテリ取付部７０５に装着される。
バッテリ６は、突出部６０により、バッテリ取付部７０５下側の適切な位置に取り付けられるし、各端子溝の極性がバッテリ取付部７０５の接続端子５４の極性と合致する状態で取り付けられる。
【００４８】
第８形態のクリーナ７０１は、モータ２９と、モータ２９により回転されるファン３４と、モータ２９を収容するハウジング２と、ハウジング２の前部に配置される吸込口１３と、ハウジング２に接続されるハンドルハウジング３と、モータ２９に通電するためのスイッチ２２と、ハウジング２に設けられ、バッテリ６を取付可能なバッテリ取付部７０５と、を有しており、ハンドルハウジング３は、吸込口１３の後方に配置されており、ハウジング２に対してバッテリ６を後方へと移動させることによって、バッテリ６をバッテリ取付部７０５に取付可能である。
よって、作業者は、バッテリ６の脱着時において、クリーナ７０１を吸込作業時のように吸込口１３を下方とした状態で、下奥から手前にあるいはその逆にバッテリ６を動かして脱着することができ、バッテリ６の脱着を行い易い。又、バッテリ６取り外し用のスライダ６２がハウジング２の中央側に向くので、スライダ６２が何かに引っ掛かり意図せずスライド操作されてバッテリ６が取り外されるような誤作動が防止される。更に、作業者は、バッテリ６の取付時、第１の手でバッテリ６を移動させ、第２の手でハンドルハウジング３の外側を握ってクリーナ本体４を保持するところ、バッテリ６を手前に引くことになるので、バッテリ６を奥に押す場合に比べ、クリーナ本体４を保持し易い。
【００４９】
［第９形態等］
図３３ないし図３６は、本発明の第９形態に係るクリーナ８０１における図１ないし図４に順に対応する図である。
第９形態のクリーナ８０１は、次の点を除き、第８形態のクリーナ７０１と同様に成る。即ち、クリーナ８０１は、ハウジング２におけるバッテリ取付部８０５の傾きが、クリーナ７０１のバッテリ取付部７０５の傾きと異なる。第８形態のクリーナ７０１と同様の部材や部分については、同じ符号を付し、適宜説明を省略する。
【００５０】
クリーナ８０１のバッテリ取付部８０５は、傾きを除き、バッテリ取付部７０５と同様に形成されている。バッテリ取付部８０５は、平面状部５０が水平よりやや後上がりに傾けられている。尚、バッテリ取付部８０５は、斜面状部５１が前側となり、接続端子５４，５４が前後に延びるように向けられている。
バッテリ取付部８０５には、バッテリ６が取り付けられる。
【００５１】
バッテリ６は、バッテリ取付部８０５に対し、バッテリ取付部７０５の場合と同様に固定される。この固定状態において、スライダ６２の下方（且つ後方）へのスライドにより係止爪６６２（図３５参照）の係合凹部５２に対する係合を解除して、そのままバッテリ６をハウジング２に対し前方（且つ下方）へ移動させると、バッテリ６がバッテリ取付部７０５から取り外される。
又、バッテリ取付部７０５にバッテリ６がない状態において、バッテリ６を突出部６０が前上となるようにしてバッテリ取付部８０５の前方に位置させ、突出部６０以外の上面をバッテリ取付部８０５の平面状部５０と合わせた状態で、バッテリ６をハウジング２に対し後（且つ上）へ移動させると、バッテリ６のリブがバッテリ取付部８０５のレール部５３に案内されて、突出部６０が斜面状部５１に接触するまで移動が継続し、当該接触により係合爪６６２が係合凹部５２に係合し、バッテリ６がバッテリ取付部８０５に装着される。
バッテリ６は、突出部６０により、バッテリ取付部８０５下側の適切な位置に取り付けられるし、各端子溝の極性がバッテリ取付部８０５の接続端子５４の極性と合致する状態で取り付けられる。
【００５２】
第９形態のクリーナ８０１は、モータ２９と、モータ２９により回転されるファン３４と、モータ２９を収容するハウジング２と、ハウジング２の前部に配置される吸込口１３と、ハウジング２に接続されるハンドルハウジング３と、モータ２９に通電するためのスイッチ２２と、ハウジング２に設けられ、バッテリ６を取付可能なバッテリ取付部８０５と、を有しており、ハンドルハウジング３は、吸込口１３の後方に配置されており、ハウジング２に対してバッテリ６を後方へと移動させることによって、バッテリ６をバッテリ取付部８０５に取付可能である。
よって、作業者は、バッテリ６の脱着時において、クリーナ８０１を吸込作業時のように吸込口１３を下方とした状態で、下奥から手前にあるいはその逆にバッテリ６を動かして脱着することができ、バッテリ６の脱着を行い易い。又、バッテリ６取り外し用のスライダ６２がハウジング２の中央側に配置されるので、スライダ６２が何かに引っ掛かり意図せずスライド操作されてバッテリ６が取り外されるような誤作動が防止される。更に、作業者は、バッテリ６の取付時、第１の手でバッテリ６を移動させ、第２の手でハンドルハウジング３の外側を握ってクリーナ本体４を保持するところ、バッテリ６を手前に引くことになるので、バッテリ６を奥に押す場合に比べ、クリーナ本体４を保持し易い。
【００５３】
［上記形態の変更例等］
尚、本発明は上記形態に限定されず、次にそれぞれ示す変更例を有するものである。
各形態において、バッテリの種類を変更することができ、例えばセルの数を増減して良いし、リチウムイオン電池以外の電池を用いて良いし、充電池ではない電池を用いても良い。充電可能なバッテリの場合、別個の充電器での充電に代えて、またはこれと共に、外部から受電可能としたクリーナのバッテリ取付部に装着したうえで充電モードに切り替えて、外部からの電気により充電をするようにしても良い。又、クリーナを、外部電源とバッテリとで切替運転可能に構成することができる。
モータへの通電の有無を切替えるスイッチの形式や、ダストフィルタの構造や、集塵ケースあるいは蓋の構造も、他のものに変更することができる。又、当該スイッチとライトのスイッチを互いに独立して操作可能に別個に配することができる。
ライト、残量警告ランプは、それぞれ増設したりあるいは省略したりできる。
各形態においては、側面視Ｃ字状あるいは側面視ｒ字状の部分をハンドルと捉えたが、ループ状の部分をハンドルと捉え、ハンドルにバッテリ取付部を配置すると捉えても良い。
【符号の説明】
【００５４】
１，１０１，２０１，３０１，４０１，５０１，６０１，７０１，８０１・・クリーナ、２，２０２・・ハウジング、３・・ハンドルハウジング（ハンドル）、５，１０５，２０５，３０５，４０５，５０５，６０５，７０５，８０５・・バッテリ取付部、６，２０６，３０６・・バッテリ、１３・・吸込口、２２，２２２・・スイッチ、２９・・モータ、３４・・ファン、２０３・・ハンドル。
【図１】
2014176567.tif 000003
【図２】
2014176567.tif 000004
【図３】
2014176567.tif 000005
【図４】
2014176567.tif 000006
【図５】
2014176567.tif 000007
【図６】
2014176567.tif 000008
【図７】
2014176567.tif 000009
【図８】
2014176567.tif 000010
【図９】
2014176567.tif 000011
【図１０】
2014176567.tif 000012
【図１１】
2014176567.tif 000013
【図１２】
2014176567.tif 000014
【図１３】
2014176567.tif 000015
【図１４】
2014176567.tif 000016
【図１５】
2014176567.tif 000017
【図１６】
2014176567.tif 000018
【図１７】
2014176567.tif 000019
【図１８】
2014176567.tif 000020
【図１９】
2014176567.tif 000021
【図２０】
2014176567.tif 000022
【図２１】
2014176567.tif 000023
【図２２】
2014176567.tif 000024
【図２３】
2014176567.tif 000025
【図２４】
2014176567.tif 000026
【図２５】
2014176567.tif 000027
【図２６】
2014176567.tif 000028
【図２７】
2014176567.tif 000029
【図２８】
2014176567.tif 000030
【図２９】
2014176567.tif 000031
【図３０】
2014176567.tif 000032
【図３１】
2014176567.tif 000033
【図３２】
2014176567.tif 000034
【図３３】
2014176567.tif 000035
【図３４】
2014176567.tif 000036
【図３５】
2014176567.tif 000037
【図３６】
2014176567.tif 000038